(57)【特許請求の範囲】
【請求項１】
導電ペーストを印刷した２枚のフィルムを貼合せて構成した対向スイッチ接点を有し、硬質の基板上に配設されたスイッチ部材と、スイッチ部材の対向スイッチ接点の上方に配設され、対向スイッチ接点を押圧する部位と操作反力を有する弾性体を介して配設されたキートップと、Ｘ字状に交差連結されて、弾性体を挟むようにその両側部に配設された一組の枠体の上端部がキートップに係止され、キートップを昇降自在に保持するリンク部材と、リンク部材の下端部との係合部を有し、スイッチ部材上面に載置された固定板と、一方の長辺の中間部が開放された四角形状に形成されて、他方の長辺がキートップ下面に回動可能に係合され、開放側の両端部が固定板に設けた突起部に、キートップの押圧操作に伴う他方の長辺の移動範囲内の位置で、回動かつ摺動可能に保持された安定部材からなり、上記安定部材の開放側長辺の両端部を、上記固定板に設けた突起部上端のＵ字溝に、上記キートップの押圧操作に伴う他方の長辺の移動範囲内の位置で回動かつ摺動可能に支持させると共に、両端部に連続して形成されたクランク形状の折り曲げ部を、上記固定板上面に設けたフック状のガイド部に摺動可能に係合させた押釦スイッチ。
【請求項２】
安定部材の開放側長辺の両端部を回動かつ摺動可能に保持する位置を、キートップの押圧操作に伴う他方の長辺の移動範囲内の中央に設定した請求項１記載の押釦スイッチ。
【請求項３】
安定部材の開放側長辺の両端部に形成された両曲げクランク形状の中間部を、固定板に設けた突起部上端のＵ字溝に、キートップの押圧操作に伴う他方の長辺の移動範囲内の位置で回動かつ摺動可能に支持させると共に、クランク形状の側部の連結側を固定部上面に設けたフック状のガイド部に摺動可能に係合させ、クランク形状の側部の端部側の先端を固定板の上面に弾接させた請求項１記載の押釦スイッチ。
【請求項４】
リンク部材の下端部との係合部と、安定部材の開放側の両端部を保持する突起部およびガイド部を基板に設けて固定板を除いた請求項１記載の押釦スイッチ。
【請求項５】
請求項１〜４のいずれか一つに記載の押釦スイッチを用いた入力装置。
【発明の詳細な説明】
【０００１】
【発明の属する技術分野】
本発明は、ワードプロセッサやポータブルコンピュータ等の情報機器の入力装置用の押釦スイッチおよびこれを用いた入力装置に関するものである。
【０００２】
【従来の技術】
近年の情報機器の入力装置等に用いられる押釦スイッチは、入力時の操作性を高めるために大きな操作ストロークを有すると共に、携帯用のものには押釦スイッチの低背化による薄形化が強く求められている。
【０００３】
このような情勢の中で、特に操作面の大きい長寸のキートップを有する押釦スイッチの低背化・薄型化に対する対応が課題となっている。
【０００４】
以下、従来の長寸のキートップを有する押釦スイッチについて図面を用いて説明する。
【０００５】
図１０は従来の押釦スイッチの片側断面の正面図、図１１は図１０のＨ−Ｈ線における側面断面図であり、同図において、１は金属板製の基板、２は導電ペーストを印刷した二枚のフィルムを貼合せて対向スイッチ接点２Ａを構成したスイッチ部材、３はこのスイッチ部材２の対向スイッチ接点２Ａを押圧する突起状の押圧部３Ａを内側上方に有する弾性体であるラバードーム、そして、４は長寸のキートップで、その中央部下面にはラバードーム３の頂点部外側の円形の外周部３Ｂに当接する円筒状のステム４Ａが設けられ、ラバードーム３の弾性力によって上方に押し上げられている。
【０００６】
そして、５は一組の枠体が中央位置でＸ字状に交差連結されてラバードーム３を挟むようにその両側部に配設された成形樹脂製のリンク部材、６はスイッチ部材２の上面に載置された成形樹脂製の固定板であり、リンク部材５の上端部５Ａはキートップ４の下面に設けられた係止部４Ｂに回動自在に係合し、下端部５Ｂは固定板６の係合凹部６Ａに回動および摺動自在に係合しており、これらの係合構造はラバードーム３を中心として対称である左側半分も同様に構成されている。
【０００７】
また、キートップ４下面の左右側方には下方へ突出した円筒状のボス４Ｃがそれぞれ設けられ、このボス４Ｃの外周面が固定板６から上方に突出して設けられた長円のガイド孔６Ｂの内面に摺接するように構成されている。
【０００８】
さらに、７は図１２の外観斜視図に示すように、硬質の金属線を曲げ加工して形成された安定部材であり、一方の長辺の中間部が開放された四角形状をなしている。
【０００９】
この安定部材７は、他方の長辺７Ａの両端近傍がキートップ４下面の二ヶ所の係止部４Ｄに回動可能に係合され、これに対向する開放側長辺の両端部７Ｂは、固定板６から上方へ突出して設けられた二ヶ所のフック状の突起部６Ｃと固定板６上面の間で摺動可能に保持されており、安定部材７の係合構造はラバードーム３を中心として左右対称となっている。
【００１０】
次にこのように構成された押釦スイッチの動作について説明すると、指先でキートップ４の上面の一部を押し下げると、係止部４Ｂに係合保持されたリンク部材５の上端部５Ａが回動すると共に、固定板６の係合凹部６Ａとスイッチ部材２の上面の間に保持された下端部５Ｂが回動および摺動して、キートップ４中央のステム４Ａがラバードーム３頂点部の外周部３Ｂを押し下げることによりラバードーム３が撓んで、その内側上方の押圧部３Ａがスイッチ部材２の対向スイッチ接点２Ａを接触させてオンとなる。
【００１１】
この後、キートップ４に加えていた押圧力を除くと、ラバードーム３はその弾性力により元の形状に復帰しようとしてリンク部材５およびキートップ４を押し戻し、図１０のオフ状態に復帰する。
【００１２】
このとき、キートップ４下面の左右側方のボス４Ｃは、図１１に示す径方向の外周が固定板６の長円のガイド孔６Ｂの短径方向における内面に摺動可能に接しており、キートップ４と共にガイド孔６Ｂの内部で上下方向に摺動する。
【００１３】
また、安定部材７は、キートップ４の係止部４Ｄに保持された長辺７Ａが回動すると共に、長辺７Ａの反対側の両端部７Ｂが固定板６の突起部６Ｃと固定板６の上面の間で水平方向に摺動する。
【００１４】
すなわち、円筒状のボス４Ｃと長円のガイド孔６Ｂによって、ラバードーム３を中心とした回転等、キートップ４の水平方向のガタツキが抑えられ、安定部材７によって左右両側部の上下方向のガタツキが抑えられるように構成されているものであった。
【００１５】
【発明が解決しようとする課題】
しかしながら上記従来の長寸のキートップ４を有する押釦スイッチにおいては、長寸のキートップ４の左右両側部の上下方向のガタツキを安定部材７で抑えているが、安定部材７の開放側長辺の両端部７Ｂを回動かつ摺動自在に保持している部分の隙間やキートップ４の反り等のため、長寸のキートップ４の左右の高さのアンバランスやガタツキを完全になくすことはできないものであり、これに対応して、キートップ４の水平方向のガタツキを抑えるボス４Ｃが固定板６のガイド孔６Ｂから外れないようにするためには、両者の間にある程度の高さ方向の係合寸法を確保する必要がある。
【００１６】
このため、ボス４Ｃとガイド孔６Ｂの高さ寸法を小さくすることに限度があり、押釦スイッチを低背・薄形化する上で支障となるものであった。
【００１７】
また、押釦スイッチの操作ストロークを大きくすることに対しても、ボス４Ｃとガイド孔６Ｂの高さ寸法を大きくする必要があった。
【００１８】
本発明は、このような従来の課題を解決するものであり、所定の操作ストロークを確保し、キートップの水平方向および上下方向のガタツキを抑えると共に、低背・薄形化を図ることができる押釦スイッチを提供することを目的とする。
【００１９】
【課題を解決するための手段】
上記課題を解決するために本発明の押釦スイッチは、キートップ下面に回動可能に係合された四角形状の安定部材の長辺と対向する開放側の両端部を、キートップの押圧操作に伴う長辺の移動範囲内の位置において回動かつ摺動可能に保持する構成とすることにより、安定部材の両端部の摺動量を小さくしてこの部分でキートップの上下方向のガタツキと共に水平方向のガタツキも抑えるものである。
【００２０】
これにより、キートップ下面のボスや固定板上のガイド孔を用いずとも、キートップの水平方向および上下方向のガタツキを抑えることができ、所定の操作ストロークを確保しつつ、低背・薄形化した押釦スイッチを実現することができる。
【００２１】
【発明の実施の形態】
本発明の請求項１に記載の発明は、導電ペーストを印刷した２枚のフィルムを貼合せて構成した対向スイッチ接点を有し、硬質の基板上に配設されたスイッチ部材と、スイッチ部材の対向スイッチ接点の上方に配設され、対向スイッチ接点を押圧する部位と操作反力を有する弾性体を介して配設されたキートップと、Ｘ字状に交差連結されて、弾性体を挟むようにその両側部に配設された一組の枠体の上端部がキートップに係止され、キートップを昇降自在に保持するリンク部材と、リンク部材の下端部との係合部を有し、スイッチ部材上面に載置された固定板と、一方の長辺の中間部が開放された四角形状に形成されて、他方の長辺がキートップ下面に回動可能に係合され、開放側の両端部が固定板に設けた突起部に、キートップの押圧操作に伴う他方の長辺の移動範囲内の位置で、回動かつ摺動可能に保持された安定部材からなり、上記安定部材の開放側長辺の両端部を、上記固定板に設けた突起部上端のＵ字溝に、上記キートップの押圧操作に伴う他方の長辺の移動範囲内の位置で回動かつ摺動可能に支持させると共に、両端部に連続して形成されたクランク形状の折り曲げ部を、上記固定板上面に設けたフック状のガイド部に摺動可能に係合させた押釦スイッチとしたものであり、安定部材の開放側長辺の両端部の水平方向の摺動量を小さくできて、安定部材によりキートップの左右側部での上下方向のガタツキを抑えると共に水平方向の回転ガタツキも抑えることができるので、キートップ下面のボスや固定板上のガイド孔を用いずとも、キートップの水平方向および上下方向のガタツキを抑えることができ、所定の操作ストロークを確保しつつ薄形の押釦スイッチを構成することができるという作用を有する。
さらに、Ｕ字溝とフック状のガイド部によって安定部材の開放側長辺の両端部の前後方向および上下方向の動きを規制してキートップの水平方向および上下方向のガタツキを抑えることができると共に、固定板上の突起部を低くすることができるので、キートップ下面の間隙を大きくすることができ、押釦スイッチをより低背・薄型にすることができるという作用を有する。
【００２２】
請求項２に記載の発明は、請求項１記載の発明において、安定部材の開放側長辺の両端部を回動かつ摺動可能に保持する位置を、キートップの押圧操作に伴う他方の長辺の移動範囲内の中央に設定したものであり、請求項１に記載の発明による作用に加えて、安定部材の開放側長辺の両端部の水平方向の摺動量を極めて小さくすることができてキートップの水平方向のガタツキを極めて小さく抑えることができるという作用を有する。
【００２４】
請求項３に記載の発明は、請求項１に記載の発明において、安定部材の開放側長辺の両端部に形成された両曲げクランク形状の中間部を、固定板に設けた突起部上端のＵ字溝に、キートップの押圧操作に伴う他方の長辺の移動範囲内の位置で回動かつ摺動可能に支持させると共に、クランク形状の側部の連結側を固定部上面に設けたフック状のガイド部に摺動可能に係合させ、クランク形状の側部の端部側の先端を固定板の上面に弾接させたものであり、請求項１に記載の発明による作用に加えて、安定部材の開放側長辺の両端部先端の固定板上面に対する弾性力によってフック状のガイド部との間の微少なギャップをなくし、キートップ操作時の微少なガタツキによる操作雑音の発生を抑えるという作用を有する。
【００２６】
請求項４に記載の発明は、請求項１記載の発明において、リンク部材の下端部との係合部と、安定部材の開放側長辺の両端部を保持する突起部およびガイド部を基板に設けて固定板を除いたものであり、部材および組立てコストを削減できると共に、キートップ下面の間隙を大きくすることができ、一層の低背・薄形化および軽量化を図ることができるという作用を有する。
【００２７】
請求項５に記載の発明は、請求項１〜４のいずれか一つに記載の押釦スイッチを用いた入力装置としたものであり、大きな操作ストロークを有し、しかも長寸のキートップの水平方向および上下方向のガタツキを抑えた低背・薄型の押釦スイッチを備えた入力装置を提供することができるという作用を有する。
【００２８】
以下、本発明の実施の形態について、図面を用いて説明する。
なお、従来の技術の項で説明した構成と同一部分には同一符号を付して詳細な説明を省略する。
【００２９】
（実施の形態１）
図１は本発明の第１の実施の形態による押釦スイッチの側面断面図、図２は同分解斜視図であり、同図において１は金属板製の基板、２は二枚のフィルムを貼合せて対向スイッチ接点２Ａを構成したスイッチ部材、３は対向スイッチ接点２Ａを押圧する突起状の押圧部３Ａを内側上方に有する弾性体であるラバードーム、そして、１１は長寸のキートップで、その中央部下面にラバードーム３の頂点部外側の円形の外周部３Ｂに当接する円筒状のステム１１Ａが設けられて、ラバードーム３の弾性力によって上方に押し上げられており、また、５は一組の枠体がＸ字状に交差連結されてラバードーム３を挟むようにその両側部に配設された成形樹脂製のリンク部材、１２はスイッチ部材２の上面に載置された成形樹脂製の固定板であり、リンク部材５の上端部５Ａはキートップ１１の下面に設けられた係止部１１Ｂに回動自在に係合し、その下端部５Ｂは固定板１２の係合凹部１２Ａに回動および摺動自在に係合しており、これらの係合構造がラバードーム３を中心として長寸のキートップ１１の左右において対称に構成されていることは従来の技術の場合と同様である。
【００３０】
なお、固定板１２に設けられた１２Ｄはラバードーム３を配設するための丸孔、１２Ｅは、キートップ１１の押圧操作時に、下記のキートップ１１の係止部１１Ｃが当たることを避けるための角孔である。
【００３１】
そして、１３が硬質の金属線を曲げ加工して形成された安定部材で、その一方の長辺の中間部が開放された四角形状をなしており、他方の長辺１３Ａの両端近傍がキートップ１１下面の二ヶ所の係止部１１Ｃに回動可能に係合されていることも従来の技術の場合と同様であるが、開放側長辺の両端部１３Ｂは固定板１２から上方へ突出して設けられた二ヶ所の突起部１２Ｂの長円の貫通孔１２Ｃにより回動かつ摺動可能に保持されている。
【００３２】
この固定板１２の二ヶ所の突起部１２Ｂの貫通孔１２Ｃは、キートップ１１の長手方向と直交する方向に少し長径となっており、その位置は、キートップ１１の押圧操作に伴う他方の長辺１３Ａの移動範囲のほぼ中央の高さとなっている。
【００３３】
次に、このように構成された押釦スイッチの動作について説明する。
指先でキートップ１１の上面を押し下げると、係止部１１Ｂに係合保持されたリンク部材５の上端部５Ａが回動すると共に、固定板１２の係合凹部１２Ａとスイッチ部材２の上面の間に保持された下端部５Ｂが回動および摺動して、キートップ１１中央のステム１１Ａがラバードーム３の頂点部を押し下げることによりラバードーム３が撓み、押圧部３Ａがスイッチ部材２の対向スイッチ接点２Ａを接触させてオンとなり（図３のスイッチの動作状態を示す側面断面図参照）、この後、キートップ１１に加えていた押し力を除くと、ラバードーム３がその弾性力によりリンク部材５およびキートップ１１を押し戻し、オフ状態に復帰することは従来の技術の場合と同様である。
【００３４】
このとき、安定部材１３は、キートップ１１の二ヶ所の係止部１１Ｃに係合された長辺１３Ａが回動しながら下方へ移動し、固定板１２の二ヶ所の突起部１２Ｂの貫通孔１２Ｃに保持された開放側長辺の両端部１３Ｂは、貫通孔１２Ｃ内において回動しながら図１における右方向へ少し動いた後、左方向へ戻り、図３に示すスイッチ・オン状態となる。
【００３５】
そして、キートップ１１への押圧力を除くと、ラバードーム３の復元力によってキートップ１１が押し上げられると共に、安定部材１３は上記と反対の動きをしてキートップ１１をスムーズに上昇させ、図１のオフ状態に戻るものである。
【００３６】
以上のように本実施の形態によれば、長寸のキートップ１１のガタツキを抑える安定部材１３の開放側長辺の両端部１３Ｂの水平方向の摺動量を極めて小さくすることができて、安定部材１３によりキートップ１１の左右側部での上下方向のガタツキを抑えると共に水平方向の回転ガタツキも抑えることができるので、キートップ下面のボスや固定板上のガイド孔を設けなくても、キートップ１１の上下方向および水平方向のガタツキを抑えることができ、所定の操作ストロークを確保しつつ、薄形の押釦スイッチを構成することができ、この押釦スイッチを用いることによって、大きな操作ストロークを有し、しかも長寸のキートップの水平方向および上下方向のガタツキを抑えた低背・薄型の押釦スイッチを備えた入力装置を提供することができるものである。
【００３７】
なお、上記の説明では安定部材１３の形状を開放側の両端部１３Ｂを内側へ折り曲げた四角形状としたが、図４の安定部材の外観斜視図に示すように長辺１３Ｃをやや短くして両端部１３Ｄを外側へ折り曲げた安定部材を用いても、同様の効果を得られることは勿論である。
【００３８】
（実施の形態２）
図５は本発明の第２の実施の形態による押釦スイッチの右端部の正面断面図、図６は図５のＥ−Ｅ線における側面断面図で、ラバードーム等のスイッチ部分を省略してある。
【００３９】
本実施の形態による押釦スイッチは、実施の形態１によるものに対して固定板１４と安定部材１５の係合部分の構成のみが異なっており、その他の部分は同じである。
【００４０】
すなわち、長辺１５Ａの両端近傍をキートップ１１下面の二ヶ所の係止部１１Ｃに回動可能に係合された安定部材１５は、その開放側長辺の両端部１５Ｂを四角形状の面と略直角方向にクランク状に折り曲げられて、図７の要部分解斜視図に示すように、固定板１４上の二ヶ所の突起部１４Ａの上端に設けられたＵ字溝１４Ｂに安定部材１５の開放側長辺の両端部１５Ｂが回動かつ摺動可能に保持され、両端部１５Ｂの突起部１４Ａより外方の片持ちクランク形状の折り曲げ部位である係合部１５Ｃが固定板１４に設けられたフック状のガイド部１４Ｃに摺動可能に挿入されて上方へ動かないように規制されている。
【００４１】
そして、突起部１４Ａ上端のＵ字溝１４Ｂは、安定部材１５の両端部１５Ｂの中心がキートップ１１の押圧操作に伴う他方の長辺１５Ａの移動範囲のほぼ中央の高さに支持されるように設けられ、Ｕ字溝１４Ｂの側壁の高さを安定部材１５の両端部１５Ｂの中心位置よりは高いが外径上端を越えない高さとして、突起部１４Ａを実施の形態１の場合よりも低く抑えている。
【００４２】
このような構成の押釦スイッチのキートップ１１をラバードーム（図示せず）の弾性力に抗して押圧操作する時の安定部材１５の動作について説明すると、キートップ１１の押し下げに伴い、キートップ１１の二ヶ所の係止部１１Ｃに係合された長辺１５Ａは回動しながら下方へ移動し、固定板１４上の二ヶ所の突起部１４Ａ上端のＵ字溝１４Ｂに保持された開放側長辺の両端部１５ＢはＵ字溝１４Ｂ内において回動しながら図６における右方向へ少し動いた後、左方向へ戻り、固定板１４上のガイド部１４Ｃに規制されたクランク形状の折り曲げ部位である係合部１５Ｃはガイド部１４Ｃ内で図６における右方向へ動いて、キートップ１１をスムーズに降下させて、スイッチ・オン状態とする。
【００４３】
そして、キートップ１１への押圧力を除くと、ラバードーム３の復元力によってキートップ１１が押し上げられると共に、安定部材１５が上記と反対の動きをしてキートップ１１をスムーズに上昇させるものである。
【００４４】
以上のように本実施の形態によれば、実施の形態１の場合と同様に、キートップ下面のボスや固定板上のガイド孔を設けなくても、キートップ１１の上下方向および水平方向のガタツキを抑えることができると共に、固定板１４上の突起部１４Ａの高さを低くすることができてキートップ１１下面の間隙を大きくすることができるので、押釦スイッチをより低背・薄型にすることができるものである。
【００４５】
なお、上記の説明で示した、開放側長辺の両端部１５Ｂを四角形状の面と略直角方向にクランク状に折り曲げて固定板１４との係合部を構成した安定部材１５を、図８の押釦スイッチの右端部の正面断面図に示す両曲げクランク形状の安定部材１６とし、固定板１４上の突起部１４Ａ上のＵ字溝１４Ｂに保持された両端部１６Ａから延長して、下方へ屈曲させて形成した先端部１６Ｂを固定板１４の上面に弾接させることによって、この先端部１６Ｂの固定板１４上面への弾接力により安定部材１６の係合部１６Ｃと固定板１４上のフック状のガイド部１４Ｃの下面とのギャップをなくして、キートップ１１の操作時の微少なガタツキによる操作雑音の発生を抑えることができる。
【００４６】
（実施の形態３）
図９は第３の実施の形態による押釦スイッチの右端部の正面断面図であり、上記の第２の実施の形態によるものに対して固定板が削除されている。
【００４７】
すなわち、リンク部材５の下端部５Ｂを係止する係止部（図示せず）と、安定部材１６の開放側長辺の両曲げクランク形状の両端部１６Ａおよび係合部１６Ｃを保持するＵ字溝１７Ａを有する突起部１７Ｂとフック状のガイド部１７Ｃが、金属板製の基板１７を打ち抜き曲げ加工することにより設けられたもので、基板１７上面のスイッチ部材１８の孔（図示せず）を貫通して上方へ突出している。
【００４８】
本実施の形態によれば、固定板を削除して部材および組立てコストを削減できると共に、キートップ１１下面の間隙を大きくすることができて、一層の薄形化および軽量化を図ることができるものである。
【００４９】
なお、本実施の形態による構成は、実施の形態２による押釦スイッチに限らず、前記の実施の形態１による押釦スイッチに対しても適用できることは勿論である。
【００５０】
【発明の効果】
以上のように本発明によれば、キートップ下面に回動可能に係合された安定部材の長辺と対向する開放側の両端部を、キートップの押圧操作に伴う長辺の移動範囲内において回動かつ摺動可能に保持することにより、安定部材の開放側の両端部の摺動量を小さくして、この部分でキートップの上下方向および水平方向のガタツキを抑えることができ、キートップ下面のボスや固定板上のガイド孔を用いずとも、キートップのガタツキを抑え、所定の操作ストロークを確保しつつ、低背・薄形化した押釦スイッチおよびこれを用いた入力装置を得ることができるという有利な効果が得られる。
【図面の簡単な説明】
【図１】本発明の第１の実施の形態による押釦スイッチの側面断面図
【図２】同分解斜視図
【図３】同スイッチの動作状態を示す側面断面図
【図４】同要部である安定部材の他の形状を示す外観斜視図
【図５】本発明の第２の実施の形態による押釦スイッチの右端部の正面断面図
【図６】図５のＥ−Ｅ線における側面断面図
【図７】同要部分解斜視図
【図８】同他の形状の安定部材を用いた押釦スイッチの右端部の正面断面図
【図９】本発明の第３の実施の形態による押釦スイッチの右端部の正面断面図
【図１０】従来の押釦スイッチの片側断面の正面図
【図１１】図１０のＨ−Ｈ線における側面断面図
【図１２】同要部である安定部材の外観斜視図
【符号の説明】
１，１７  基板
２，１８  スイッチ部材
２Ａ  対向スイッチ接点
３  ラバードーム
３Ａ  押圧部
３Ｂ  外周部
５  リンク部材
５Ａ  上端部
５Ｂ  下端部
１１  キートップ
１１Ａ  ステム
１１Ｂ，１１Ｃ  係止部
１２，１４  固定板
１２Ａ  係合凹部
１２Ｂ，１４Ａ，１７Ｂ  突起部
１２Ｃ  貫通孔
１２Ｄ  丸孔
１２Ｅ  角孔
１３，１５，１６  安定部材
１３Ａ，１３Ｃ，１５Ａ  長辺
１３Ｂ，１３Ｄ，１５Ｂ，１６Ａ  両端部
１４Ｂ，１７Ａ  Ｕ字溝
１４Ｃ，１７Ｃ  ガイド部
１５Ｃ，１６Ｃ  係合部
１６Ｂ  先端部
【図１】
0003968873.tif 000002
【図２】
0003968873.tif 000003
【図３】
0003968873.tif 000004
【図４】
0003968873.tif 000005
【図５】
0003968873.tif 000006
【図６】
0003968873.tif 000007
【図７】
0003968873.tif 000008
【図８】
0003968873.tif 000009
【図９】
0003968873.tif 000010
【図１０】
0003968873.tif 000011
【図１１】
0003968873.tif 000012
【図１２】
0003968873.tif 000013